【手続補正書】
【提出日】令和3年9月14日(2021.9.14)
【手続補正１】
【補正対象書類名】特許請求の範囲
【補正対象項目名】全文
【補正方法】変更
【補正の内容】
【特許請求の範囲】
【請求項１】
複数の撮影装置により取得される複数の撮影画像のうち少なくとも一つに基づく画像データであって、仮想視点画像の生成に使用される画像データを取得する取得手段と、
撮影設定情報、撮影状況情報、撮影対象情報、及び、撮影権利情報のうち少なくとも１つを、所定の情報として、前記取得手段により取得される画像データに付加する付加手段と
を有することを特徴とする画像処理装置。
【請求項２】
前記付加手段は、前記所定の情報を、前記取得手段により取得される画像データに含まれる複数のフレームのそれぞれに付加することを特徴とする請求項１に記載の画像処理装置。
【請求項３】
前記付加手段は、前記所定の情報を、前記取得手段により取得される画像データに基づいて生成される複数の３次元モデルのそれぞれに付加することを特徴とする請求項１または２に記載の画像処理装置。
【請求項４】
前記付加手段により前記所定の情報が付加された前記画像データを出力する出力手段を有することを特徴とする請求項１乃至３のいずれか１項に記載の画像処理装置。
【請求項５】
前記画像データを検索するための検索条件を受け付ける受付手段を有し、
前記出力手段は、前記受付手段により受け付けられた検索条件に対応する前記所定の情報が付加された前記画像データを出力する
ことを特徴とする請求項４に記載の画像処理装置。
【請求項６】
複数の撮影装置により取得される複数の撮影画像のうち少なくとも一つに基づく画像データであって、所定の情報として、撮影設定情報、撮影状況情報、撮影対象情報、及び、撮影権利情報のうち少なくとも１つが関連付けられた画像データを取得する取得手段と、
前記取得手段により取得される画像データに基づいて、仮想視点画像データを生成する生成手段と、
前記生成手段により生成される仮想視点画像データに関連付けられた前記所定の情報を、前記生成手段により生成される仮想視点画像データに付加する付加手段と
を有することを特徴とする画像処理装置。
【請求項７】
前記付加手段により前記所定の情報が付加された前記仮想視点画像データを出力する出力手段を有することを特徴とする請求項６に記載の画像処理装置。
【請求項８】
前記仮想視点画像データを検索するための検索条件を受け付ける受付手段を有し、
前記出力手段は、前記受付手段により受け付けられた検索条件に対応する前記所定の情報が付加された前記仮想視点画像データを出力する
ことを特徴とする請求項７に記載の画像処理装置。
【請求項９】
前記撮影設定情報は、撮影場所を特定する情報、撮影日時を特定する情報、イベントを特定する情報、及び、撮影装置を特定する情報のうち少なくとも１つを含むことを特徴とする請求項１乃至８のいずれか１項に記載の画像処理装置。
【請求項１０】
前記撮影装置を特定する情報は、撮影装置の注目点の位置を特定するための情報、撮影装置の数を特定するための情報、撮影装置の位置を特定するための情報、撮影装置の姿勢を特定するための情報、及び、前記複数の撮影装置それぞれの焦点距離を特定するための情報のうち少なくとも１つを含むことを特徴とする請求項９に記載の画像処理装置。
【請求項１１】
前記撮影状況情報は、前記複数の撮影装置により撮影が行われる間の気象に関する情報を含むことを特徴とする請求項１乃至１０のいずれか１項に記載の画像処理装置。
【請求項１２】
前記撮影対象情報は、前記複数の撮影装置により撮影される対象の名称を特定するための情報、及び、前記複数の撮影装置により撮影される対象群の名称を特定するための情報のうち少なくとも１つを含むことを特徴とする請求項１乃至１１のいずれか１項に記載の画像処理装置。
【請求項１３】
前記撮影権利情報は、撮影に関する権利者に関する情報、及び、撮影に基づいて取得されるデータに関する権利者に関する情報のうち少なくとも１つを含むことを特徴とする請求項１乃至１２のいずれか１項に記載の画像処理装置。
【請求項１４】
前記付加手段は、ＩＳＯ ＢＭＦＦのフォーマットに基づいて、前記所定の情報を付加することを特徴とする請求項１乃至１３のいずれか１項に記載の画像処理装置。
【請求項１５】
前記付加手段は、Ｅｘｉｆのフォーマットに基づいて、前記所定の情報を付加することを特徴とする請求項１乃至１４のいずれか１項に記載の画像処理装置。
【請求項１６】
前記付加手段は、Ｈ．２６５符号化方式に基づくビットストリームに対して、前記所定の情報を付加することを特徴とする請求項１乃至１５のいずれか１項に記載の画像処理装置。
【請求項１７】
複数の撮影装置により取得される複数の撮影画像のうち少なくとも一つに基づく画像データであって、仮想視点画像の生成に使用される画像データを取得する取得工程と、
撮影設定情報、撮影状況情報、撮影対象情報、及び、撮影権利情報のうち少なくとも１つを、所定の情報として、前記取得工程において取得される画像データに付加する付加工程と
を有することを特徴とする画像処理方法。
【請求項１８】
複数の撮影装置により取得される複数の撮影画像のうち少なくとも一つに基づく画像データであって、所定の情報として、撮影設定情報、撮影状況情報、撮影対象情報、及び、撮影権利情報のうち少なくとも１つが関連付けられた画像データを取得する取得工程と、
前記取得工程において取得される画像データに基づいて、仮想視点画像データを生成する生成工程と、
前記生成工程において生成される仮想視点画像データに関連付けられた前記所定の情報を、前記生成工程において生成される仮想視点画像データに付加する付加工程と
を有することを特徴とする画像処理方法。
【請求項１９】
コンピュータを、請求項１乃至１６のいずれか１項に記載の画像処理装置として機能させるためのプログラム。
【手続補正２】
【補正対象書類名】明細書
【補正対象項目名】０００７
【補正方法】変更
【補正の内容】
【０００７】
本発明の一実施形態に係る画像処理装置は、複数の撮像装置により取得される複数の撮像画像のうち少なくとも一つの画像データであって、仮想視点画像の生成に使用される画像データを取得する取得手段と、撮影設定情報、撮影状況情報、撮影対象情報、及び、撮影権利情報のうち少なくとも１つを、所定の情報として、前記取得手段により取得される画像データに付加する付加手段とを有することを特徴とする。
【手続補正３】
【補正対象書類名】明細書
【補正対象項目名】０１０４
【補正方法】変更
【補正の内容】
【０１０４】
ｆｒｅｅ＿ｖｉｅｗｐｏｉｎｔ＿ｒｉｇｈｔ＿ｈｏｌｄｅｒ＿ｉｎｆｏ＿ｆｌａｇ符号は本ビットストリームの仮想視点映像を生成した元の素材となる映像データの撮影時の権利者に関する撮影権利情報に関するメタ情報が存在するか否かを表すフラグである。その値が１であれば、本ビットストリームの仮想視点映像を生成した元の素材となる映像データを撮影した時の撮影権利情報がメタ情報として存在することを示す。０であれば、そのメタ情報は存在しないことを表す。
【手続補正４】
【補正対象書類名】明細書
【補正対象項目名】０１１３
【補正方法】変更
【補正の内容】
【０１１３】
ｆｒｅｅ＿ｖｉｅｗｐｏｉｎｔ＿ｆｉｌｍｅｄ＿ｏｂｊｅｃｔ＿ｉｎｆｏ＿ｆｌａｇ符号は、図１０に示した上記ＶＵＩ  Ｐａｒａｍｅｔｅｒｓ９０２の同名の符号と同様に機能する。その値が１であれば、本ビットストリームの仮想視点映像を生成した元の素材となる映像データを撮影した時の対象に関する撮影対象情報に関するメタ情報が存在することを示す。その値が０であれば、続くｍａｘ＿ｎｕｍ＿ｏｂｊｅｃｔ＿ｍｉｎｕｓ１以下の撮影対象情報は存在しない。なお、図面を簡易にするため図１３では、ｏｂｊｅｃｔ＿ｉｎｆｏｒｍａｔｉｏｎ以下の撮影対象情報に関するメタ情報は省略されている。
【手続補正５】
【補正対象書類名】明細書
【補正対象項目名】０１１４
【補正方法】変更
【補正の内容】
【０１１４】
ｆｒｅｅ＿ｖｉｅｗｐｏｉｎｔ＿ｆｉｌｍｉｎｇ＿ｒｉｇｈｔ＿ｈｏｌｄｅｒ＿ｉｎｆｏ＿ｆｌａｇ符号は、図１０に示した上記ＶＵＩ  Ｐａｒａｍｅｔｅｒｓ９０２の同名の符号と同様に機能する。その値が１であれば、本ビットストリームの仮想視点映像を生成した元の素材となる映像データを撮影した時の権利者に関する撮影権利情報に関するメタ情報が存在することを示す。その値が０であれば、続くｍａｘ＿ｎｕｍ＿ｒｉｇｈｔ＿ｈｏｌｄｅｒ＿ｍｉｎｕｓ１以下の撮影権利情報は存在しない。
【手続補正６】
【補正対象書類名】明細書
【補正対象項目名】０１２８
【補正方法】変更
【補正の内容】
【０１２８】
Ｓ２０００において、メタ情報比較部４０４は、端末４０３から、ユーザが入力した検索条件であるキーワードを取得する。
【手続補正７】
【補正対象書類名】図面
【補正対象項目名】図６
【補正方法】変更
【補正の内容】
【図６】
2020047991.tif 000001
【手続補正８】
【補正対象書類名】図面
【補正対象項目名】図７
【補正方法】変更
【補正の内容】
【図７】
2020047991.tif 000002